(57)【要約】【課題】受光部の大きなサイズの撮像素子を用いることが可能な撮像本体部、及びそれを備えた撮像装置を提供する。【解決手段】撮影光学系が脱着される脱着部２と、光路分割手段３と、撮像素子４と、変換光学系５，５’を有する撮像本体部１であって、変換光学系５，５’は前側レンズ系５ａ，５ｃ，５ｄと後側レンズ系５ｂ，５ｅで構成され、前側レンズ系５ａ，５ｃ，５ｄは脱着部と光路分割手段３の間に配置され、後側レンズ系５ｂ，５ｅは光路分割手段３と撮像素子４の間に配置されている。【選択図】図１
2009175607.tif 000002
【特許請求の範囲】
【請求項１】
撮影光学系が脱着される脱着部と、
光路分割手段と、
撮像素子と、
変換学光学系を有する撮像本体部であって、
前記変換光学系は、前側レンズ系と後側レンズ系で構成され、
前記前側レンズ系は、前記脱着部と前記光路分割手段の間に配置され、
前記後側レンズ系は、前記光路分割手段と前記撮像素子の間に配置されていることを特徴とする撮像本体部。
【請求項２】
前記変換光学系は、前記撮像本体内部に中間像を形成しない光学系であることを特徴とする請求項１に記載の撮像本体部。
【請求項３】
前記前側レンズ系は負の屈折力を有し、前記後側レンズ系は正の屈折力を有することを特徴とする請求項１または請求項２に記載の撮像本体部。
【請求項４】
前記変換光学系は、前記撮像本体内部に中間像を形成する光学系であることを特徴とする請求項１に記載の撮像本体部。
【請求項５】
前記前側レンズ系は正の屈折力を有し、前記後側レンズ系は正の屈折力を有することを特徴とする請求項１または請求項４に記載の撮像本体部。
【請求項６】
前記前側レンズ系は、前記中間像の近傍に配置された正の屈折力のレンズと、さらに別の正の屈折力のレンズを有することを特徴とする請求項５に記載の撮像本体部。
【請求項７】
請求項１から６のいずれか１項に記載の撮像本体部と前記撮影光学系を備えたことを特徴とする撮像装置。
【発明の詳細な説明】
【技術分野】
【０００１】
本発明は、撮影光学系が脱着可能な撮像本体部、及び撮像装置に関する。
【背景技術】
【０００２】
撮影目的に応じて撮像素子をサイズの異なるものと交換できるカメラが知られている（特許文献１参照）。このカメラは、略横長の箱型のカメラ本体と、銀塩一眼レフカメラ用の撮影レンズとを備えている。カメラ本体は、銀塩一眼レフカメラ用のカメラ本体をそのまま流用している。裏蓋としては、銀塩カメラ用のものと、デジタルカメラ用のものがある。そして、デジタルカメラ用の裏蓋をカメラ本体に装着することができ、これにより、デジタルカメラとして使用可能となる。さらに、ＣＣＤ基板を交換することができるようになっている。これにより、一つのカメラ本体２で異なるデジタルカメラを構成することができる。
【特許文献１】特開２０００−５９６５５号公報
【発明の開示】
【発明が解決しようとする課題】
【０００３】
上記特許文献１に記載された技術では、交換可能なＣＣＤは、それぞれ受光部のサイズが、横１６ｍｍ×縦１２ｍｍと横２４ｍｍ×縦１８ｍｍである。これは、銀塩フィルムのサイズ横３６ｍｍ×縦２４ｍｍよりも小さい。そのため、受光部の大きなサイズの撮像素子を用いることができなかった。
【０００４】
本発明は従来技術のこれらの問題点に鑑みてなされたものであり、その目的は、受光部の大きなサイズの撮像素子を用いることが可能な撮像本体部、及びそれを備えた撮像装置を提供することである。
【課題を解決するための手段】
【０００５】
上記目的を達成する本発明の撮像本体部は、撮影光学系が脱着される脱着部と、光路分割手段と、撮像素子と、変換学光学系を有する撮像本体部であって、前記変換光学系は、前側レンズ系と後側レンズ系で構成され、前記前側レンズ系は、前記脱着部と前記光路分割手段の間に配置され、前記後側レンズ系は、前記光路分割手段と前記撮像素子の間に配置されていることを特徴とする。
【０００６】
また、前記変換光学系は、前記撮像本体内部に中間像を形成しない光学系であることを特徴とする。
【０００７】
また、前記変換光学系が中間像を形成しない光学系の場合、前記前側レンズ系は負の屈折力を有し、前記後側レンズ系は正の屈折力を有することを特徴とする。
【０００８】
また、前記変換光学系は、前記撮像本体内部に中間像を形成する光学系であることを特徴とする。
【０００９】
また、前記変換光学系が中間像を形成する光学系の場合、前記前側レンズ系は正の屈折力を有し、前記後側レンズ系は正の屈折力を有することを特徴とする。
【００１０】
また、前記変換光学系が中間像を形成する光学系の場合、前記前側レンズ系は、前記中間像の近傍に配置された正の屈折力のレンズと、さらに別の正の屈折力のレンズを有することを特徴とする。
【００１１】
また、本発明の撮像装置は、上記の撮像本体部と前記撮影光学系を備えたことを特徴とする。
【発明の効果】
【００１２】
以上の本発明によると、受光部の大きなサイズの撮像素子を用いることが可能な撮像本体部、及びそれを備えた撮像装置を得ることができる。
【発明を実施するための最良の形態】
【００１３】
本発明の実施形態について説明する。本実施形態の撮像本体部を図１に示す。図１において、撮像本体部１は、脱着部２と、光路分割手段３と、撮像素子４と、変換学光学系５と、移動機構６とファインダー光学系７を有する。脱着部２は、例えば、バヨネットリングである。この脱着部２を介して、撮影光学系が脱着できるようになっている。
【００１４】
光路分割手段３は、例えばミラー（クイックリターンミラー）である。このミラーは駆動機構６によって、第１の位置と第２の位置に移動可能になっている。第１の位置は実線で示す位置である。この第１の位置は、脱着部２と撮像素子４の間である。また、第２の位置は破線で示す位置である。この第２の位置は、第１の位置にある光路分割手段３を４５度回転させた位置で、ファインダー光学系７の近傍の位置である。なお、図では、光路分割手段３が第１の位置と第２の位置の間で移動する際、光路分割手段３が変換学光学系５に接触するように見える。しかしながら、実際は、変換学光学系５までの距離は十分に確保しているので、接触は生じない。
【００１５】
撮像素子４は、第１の位置を挟んで、脱着部２の反対側に配置されている。この位置は、撮影光学系が装着された時に、被写体の像が形成される位置である。また、本実施形態では、撮像素子４の前方に、フィルタ８が配置されている。
【００１６】
変換光学系５は、脱着部２と撮像素子４の間に配置されている。変換光学系５は、前側レンズ系５ａと後側レンズ系５ｂで構成されている。ここで、前側レンズ系５ａは、装着部２と光路分割手段３（第１の位置）の間に配置されている。一方、後側レンズ系５ｂは、光路分割手段３（第１の位置）と撮像素子４の間に配置されている。
【００１７】
このように、本実施形態の撮像部本体１は、本体内部に変換学光学系５を備えている。このため、この変換学光学系５によって、受光部全体に被写体の像を大きく形成できる。その結果、撮像素子４に受光部の大きな素子を用いることができる。なお、受光部のサイズが小さい撮像装置用の撮影光学系であっても、変換学光学系５によって、被写体の像を大きく形成できる。よって、既存の撮影光学系が使えるというメリットがある。
【００１８】
なお、前側レンズ系５ａは負の屈折力を有するのが好ましい。一方、後側レンズ系５ｂは正の屈折力を有するのが好ましい。このようにすることで、被写体の像を大きく形成できる。なお、図１では、前側レンズ系５ａと後側レンズ系５ｂを、それぞれ１枚のレンズとしている。しかしながら、前側レンズ系５ａと後側レンズ系５ｂを、それぞれ複数のレンズで構成しても良い。
【００１９】
また、変換学光学系５は、中間像（１次像）を形成しない光学系である。このようにすれば、光学系の薄型化と撮像本体部１の薄型化ができる。
【００２０】
変換学光学系の別の例を図２に示す。変換学光学系５’は脱着部２と撮像素子４の間に配置されている。変換光学系５’は、前側レンズ系５ｃ，５ｄと後側レンズ系５ｅで構成されている。前側レンズ系５ｃ，５ｄは、全体として正の屈折力を有している。また、後側レンズ系５ｅは、全体として正の屈折力を有している。
【００２１】
なお、光路分割手段３（第１の位置）は図示されていないが、前側レンズ系のレンズ５ｄと後側レンズ系５ｅの間に配置されている。よって、前側レンズ系５ｃ，５ｄは、装着部２と光路分割手段３（第１の位置）の間に配置されている。一方、後側レンズ系５ｅは、光路分割手段３（第１の位置）と撮像素子４の間に配置されている。
【００２２】
ここで、前側レンズ系５ｃ，５ｄは、中間像の近傍に配置された正の屈折力のレンズ５ｃと、さらに別の正の屈折力のレンズ５ｄを有する。レンズ５ｃは中間像の近傍に配置されているので、フィールドレンズとして機能する。
【００２３】
変換学光学系５’は、中間像（１次像）を形成する光学系である。このようにすれば、被写体の像を大きくした場合であっても、収差の少ない像が得られる。
【００２４】
次に、本実施形態の撮像装置１０を図３に示す。本実施形態の撮像装置１０は、撮像本体部１と撮影光学系９を備えている。撮像装置９は、脱着部２を介して撮像本体部１と接続されている。これにより、被写体の像は、撮影光学系９と変換学光学系５を介して、撮像素子４上に形成される。
【００２５】
なお、本発明は、その趣旨を逸脱しない範囲で様々な変形例をとることができる。
【図面の簡単な説明】
【００２６】
【図１】本発明の第１の実施形態における撮像本体部を示す図である。
【図２】変換光学系の別の構成を示す図である。
【図３】本発明の撮像装置を示す図である。
【符号の説明】
【００２７】
１                撮像本体部
２                脱着部
３                光路分割手段
４                撮像素子
５，５’          変換光学系
５ａ，５ｃ，５ｄ  前側レンズ系
５ｂ，５ｅ        後側レンズ系
６                移動機構
７                ファインダー光学系
８                フィルタ
９                撮影光学系
１０              撮像装置
【図１】
2009175607.tif 000003
【図２】
2009175607.tif 000004
【図３】
2009175607.tif 000005